(57)【要約】【課題】被測定液中にＰＨ測定電極を浸漬してＰＨを精度良く測定することができると共に、ＰＨ測定電極への被測定液中の汚れの付着を低減することができる浸漬型ＰＨ測定装置を提供する。【解決手段】被測定液８中に浸漬してＰＨを測定するＰＨ測定電極１０と、該ＰＨ測定電極１０に被測定液８を放射する放射装置１１とから構成してある。【選択図】図１
2007263565.tif 000002
【特許請求の範囲】
【請求項１】
被測定液中に浸漬してＰＨを測定するＰＨ測定電極と、該ＰＨ測定電極に被測定液を放射する放射装置とからなる浸漬型ＰＨ測定装置。
【請求項２】
前記放射装置が、前記被測定液を吸入する吸入チューブと、前記被測定液を放射する放射チューブと、給水ポンプとからなる請求項１に記載の浸漬型ＰＨ測定装置。
【請求項３】
前記吸入チューブ及び放射チューブの少なくとも内周面をフッ素樹脂で成形してある請求項２に記載の浸漬型ＰＨ測定装置。
【請求項４】
前記放射装置が水中ポンプからなる請求項１に記載の浸漬型ＰＨ測定装置。
【発明の詳細な説明】
【技術分野】
【０００１】
本発明は、被測定液中に浸漬してＰＨを測定する浸漬型ＰＨ測定装置に関する。
【背景技術】
【０００２】
液体のｐＨを測定する方法としては、被測定液中にガラス電極と比較電極を入れ、両電極間に生ずる電位差を測定用計器で測定してｐＨを求めるガラス電極法が広く知られている。従来、このｐＨ測定に使用される電極には、図３に示す浸漬型ＰＨ測定電極と、図４に示す流通型ＰＨ測定電極がある。
【０００３】
図３に示すように、従来の浸漬型ＰＨ測定電極２０は、被測定液８を貯留した液槽７の中に電極２１を浸漬し、この電極間に生ずる電位差により測定用計器２２でｐＨを測定するようにしている（例えば、特許文献１参照）。
また、図４に示すように、流通型ＰＨ測定電極３０は、測定チャンバ３３を介設した循環配管３４を液槽７に設けており、ｐＨ測定用計器３２を備えた電極３１を測定チャンバ３３に取付けている。流通型ＰＨ測定電極３０は、液槽７中の被測定液８をポンプ３５で循環配管３４を通して循環させながら、測定チャンバ３３に取付けた電極３１でｐＨを測定している（例えば、特許文献２参照）。
【０００４】
【特許文献１】特開２００５−１７２５３９号公報
【特許文献２】特開２００１−５６３１４号公報
【発明の開示】
【発明が解決しようとする課題】
【０００５】
従来の浸漬型ＰＨ測定電極２０は、被測定液８が滞留している液槽７の中に電極２１を浸漬してｐＨを測定しているために、被測定液８中の汚れ分Ｄが電極２１に付着し易い。特に、浄化槽などのＣＯＤ（化学的酸素要求量）を多く含む被測定液のｐＨ測定においては、電極２１を被測定液８中に長時間浸漬していると汚れ分Ｄの付着によって電極２１の感度が低下し、ｐＨの測定精度が低下するという問題があった。このため、浸漬型ＰＨ測定電極２０の電極２１を被測定液８から定期的に取り出して、薬液洗浄、ブラシ洗浄又は超音波洗浄により電極２１を洗浄する必要があり、煩雑であると共に洗浄中はｐＨの測定ができないという課題があった。
【０００６】
一方、流通型ＰＨ測定電極３０は、被測定液８が電極３１の周囲を流れていることから電極３１に汚れ分Ｄが付着し難いという利点を有するが、ＰＨ測定装置全体が複雑になってコストが嵩むと共に、循環配管３４を通して循環する少量の被測定液のｐＨを測定しているために、液槽７内の被測定液８をサンプリングする場所によってｐＨの測定精度にバラツキが生じるという課題があった。
【０００７】
そこで、本発明は、被測定液中にＰＨ測定電極を浸漬してＰＨを精度良く測定することができると共に、ＰＨ測定電極への被測定液中の汚れ分の付着を低減することができる浸漬型ＰＨ測定装置を提供するものである。
【課題を解決するための手段】
【０００８】
本発明は、上記課題を解決するために、被測定液中に浸漬してＰＨを測定するＰＨ測定電極と、該ＰＨ測定電極に被測定液を放射する放射装置とからなる浸漬型ＰＨ測定装置を提供するものである。
【０００９】
また、本発明は、前記放射装置が、前記被測定液を吸入する吸入チューブと、前記被測定液を放射する放射チューブと、給水ポンプとからなる請求項１に記載の浸漬型ＰＨ測定装置を提供するものである。
【００１０】
また、本発明は、前記吸入チューブ及び放射チューブの少なくとも内周面をフッ素樹脂で成形してある請求項２に記載の浸漬型ＰＨ測定装置を提供するものである。
【００１１】
また、本発明は、前記放射装置が水中ポンプからなる請求項１に記載の浸漬型ＰＨ測定装置を提供するものである。
【発明の効果】
【００１２】
本発明に係る浸漬型ＰＨ測定装置によれば、被測定液中に浸漬してＰＨを測定するＰＨ測定電極と、該ＰＨ測定電極に被測定液を放射する放射装置とからなる構成を有することにより、被測定液中にＰＨ測定電極を直接浸漬してＰＨを測定するから精度良く測定することができると共に、被測定液をＰＨ測定電極に放射して流れを作ることによってＰＨ測定電極への被測定液中の汚れ分の付着を低減することができる効果がある。
【００１３】
また、本発明は、前記放射装置が、前記被測定液を吸入する吸入チューブと、前記被測定液を放射する放射チューブと、給水ポンプとからなる請求項１に記載の構成を有することにより、放射チューブから被測定液をＰＨ測定電極に放射することができ、放射チューブの位置や向きによってＰＨ測定電極の形状等に応じた効率の良い流れを作ることができ、ＰＨ測定電極への被測定液中の汚れ分の付着を低減することができる効果がある。
【００１４】
また、本発明は、前記吸入チューブ及び放射チューブの少なくとも内周面をフッ素樹脂で成形してある請求項２に記載の構成を有することにより、吸入チューブ及び放射チューブに被測定液中の汚れ分が付着するのを防止することができる効果がある。
【００１５】
また、本発明は、前記放射装置が水中ポンプからなる請求項１に記載の構成を有することにより、簡単な構成によって被測定液をＰＨ測定電極に直接放射することができる効果がある。
【発明を実施するための最良の形態】
【００１６】
本発明の実施の形態を図示する実施例に基づいて説明する。
本発明に係る浸漬型ＰＨ測定装置は、被測定液８中に浸漬してＰＨを測定するＰＨ測定電極１０と、該ＰＨ測定電極１０に被測定液８を放射する放射装置１１とから構成してある。
【実施例１】
【００１７】
図１に示す実施例において、ＰＨ測定電極１０は、ガラス電極及び比較電極を備えた電極１と、両電極間に生ずる電位差を測定してｐＨを求める測定用計器２とから構成してある。ＰＨ測定電極１０は、被測定液８を貯留した液槽７の中に電極１を浸漬して、被測定液８のｐＨを測定するようにしてある。
【００１８】
図１に示す実施例において、放射装置１１は、被測定液８を吸入する吸入チューブ３と、被測定液８を放射する放射チューブ４と、被測定液８を汲み上げる給水ポンプ５とから構成してある。放射装置１１は、放射チューブ４の先端から電極１に向けて被測定液８を放射することにより、電極１の周囲に被測定液８の流れを作って電極１への汚れ分Ｄの付着を低減することができるようにしてある。
【００１９】
図示の実施例において、吸入チューブ３及び放射チューブ４は、フッ素樹脂をチューブ状に成形したフッ素樹脂チューブからなり、被測定液８中の汚れ分Ｄの付着を防止してある。また、吸入チューブ３及び放射チューブ４は、合成樹脂チューブ又は金属管にフッ素樹脂皮膜を形成したものを使用することもでき、吸入チューブ３及び放射チューブ４の少なくとも内周面は、フッ素樹脂で成形してあることが好ましい。
【００２０】
図１に示す実施例において、放射装置１１は、給水ポンプ５を常時駆動して電極１に被測定液８を放射するようにしてある。また、放射装置１１は、間欠的に給水ポンプ５を駆動することもでき、被測定液８中のＣＯＤ濃度が所定値以上のときのみ給水ポンプ５を駆動することもできる。実施例の浸漬型ＰＨ測定装置により、浸漬型ＰＨ測定電極の測定精度を維持しながら、電極１の洗浄頻度を１／２程度まで低減することができる。
【００２１】
また、放射装置１１は、給水ポンプ５の給水量を調整したり、放射チューブ４の放射パターンを調整したりすることにより、電極１に付着した汚れ分Ｄを洗浄することができるように構成することも可能である。
【実施例２】
【００２２】
放射装置１１は、図２に示すように、液槽７内に水中ポンプ６を設け、水中ポンプ６で液槽７内の被測定液８を電極１に直接的に放射するように構成することもできる。水中ポンプ６は、被測定液８の放射方向を調節可能にしてあることが好ましい。他の構成は、図１に示す実施例と同様である。
【図面の簡単な説明】
【００２３】
【図１】本発明に係る浸漬型ＰＨ測定装置の一実施例を示す縦断正面図。
【図２】本発明に係る浸漬型ＰＨ測定装置の他の実施例を示す縦断正面図。
【図３】従来の浸漬型ＰＨ測定電極を示す縦断正面図。
【図４】従来の流通型ＰＨ測定電極を示す縦断正面図。
【符号の説明】
【００２４】
１  電極
２  測定用計器
３  吸入チューブ
４  放射チューブ
５  給水ポンプ
６  水中ポンプ
７  液槽
８  被測定液
１０  ＰＨ測定電極
１１  放射装置
２０  浸漬型ＰＨ測定電極
２１，３１  電極
２２，３２  測定用計器
３０  流通型ＰＨ測定電極
３３  測定チャンバ
３４  循環配管
３５  ポンプ
Ｄ  汚れ分
【図１】
2007263565.tif 000003
【図２】
2007263565.tif 000004
【図３】
2007263565.tif 000005
【図４】
2007263565.tif 000006